(57)【要約】【課題】  フォーカシングに際しての撮影倍率の変化が少なく、高速なフォーカシングが容易な広画角のズームレンズを得ること。【解決手段】  物体側から像側へ順に、負、正の屈折力の第１、第２レンズ群、中間レンズ群、正の屈折力の最終レンズ群より構成され、中間レンズ群は無限遠から近距離のフォーカシングに際して像側へ移動する負の屈折力のフォーカスレンズ群を有し、フォーカスレンズ群の物体側に開口絞りを有し、ズーミングとフォーカシングの少なくとも一方において隣り合うレンズ群の間隔が変化するズームレンズであり、最終レンズ群の焦点距離ｆｉｍｇ、フォーカスレンズ群の焦点距離ｆｆ、広角端における全系の焦点距離ｆｗを各々適切に設定する。【選択図】  図１
2014225002.tif 000002
【特許請求の範囲】
【請求項１】
物体側から像側へ順に、負の屈折力の第１レンズ群、正の屈折力の第２レンズ群、１以上のレンズ群を有する中間レンズ群、正の屈折力の最終レンズ群より構成され、前記中間レンズ群は無限遠から近距離のフォーカシングに際して像側へ移動する負の屈折力のフォーカスレンズ群を有し、前記フォーカスレンズ群の物体側に開口絞りを有し、ズーミングとフォーカシングの少なくとも一方において隣り合うレンズ群の間隔が変化するズームレンズであって、
前記最終レンズ群の焦点距離をｆｉｍｇ、前記フォーカスレンズ群の焦点距離をｆｆ、広角端における全系の焦点距離をｆｗとするとき、
３．５＜ｆｉｍｇ／ｆｗ＜１０．０
−５．０＜ｆｆ／ｆｗ＜−１．０
なる条件式を満足することを特徴とするズームレンズ。
【請求項２】
１．２＜  ｜ｆｉｍｇ／ｆｆ｜  ＜３．５
なる条件式を満足することを特徴とする請求項１に記載のズームレンズ。
【請求項３】
広角端における前記フォーカスレンズ群の横倍率をβｆ、広角端における前記フォーカスレンズ群から前記最終レンズ群までの部分系の横倍率をβｆｉｍｇとするとき、
１．３＜  ｜（１−βｆ２）×βｆｉｍｇ２  ｜  ＜４．５
なる条件式を満足することを特徴とする請求項１又は２記載のズームレンズ。
【請求項４】
広角端におけるバックフォーカスをＢＦＷとするとき、
２．０＜ＢＦｗ／ｆｗ＜４．５
なる条件式を満足することを特徴とする請求項１乃至３のいずれか１項に記載のズームレンズ。
【請求項５】
広角端から望遠端へのズーミングにおける前記最終レンズ群の移動量をｍｉｍｇとするとき、
０．５＜ｍｉｍｇ／ｆｗ＜３．０
なる条件式を満足することを特徴とする請求項１乃至４のいずれか１項に記載のズームレンズ。
【請求項６】
前記フォーカスレンズ群は１つの負レンズから構成されることを特徴とする請求項１乃至５のいずれか１項に記載のズームレンズ。
【請求項７】
前記最終レンズ群は１以上の非球面を有することを特徴とする請求項１乃至６のいずれか１項に記載のズームレンズ。
【請求項８】
前記ズームレンズは、物体側から像側に順に、負の屈折力の第１レンズ群、正の屈折力の第２レンズ群、負の屈折力の第３レンズ群、正の屈折力の第４レンズ群からなり、前記フォーカスレンズ群は前記第３レンズ群であり、前記最終レンズ群は前記第４レンズ群であることを特徴とする請求項１乃至７のいずれか１項に記載のズームレンズ。
【請求項９】
前記ズームレンズは、物体側から像側に順に、負の屈折力の第１レンズ群、正の屈折力の第２レンズ群、正の屈折力の第３レンズ群、負の屈折力の第４レンズ群、正の屈折力の第５レンズ群からなり、前記フォーカスレンズ群は前記第４レンズ群であり、前記最終レンズ群は前記第５レンズ群であることを特徴とする請求項１乃至７のいずれか１項に記載のズームレンズ。
【請求項１０】
前記ズームレンズは、物体側から像側に順に、負の屈折力の第１レンズ群、正の屈折力の第２レンズ群、負の屈折力の第３レンズ群、負の屈折力の第４レンズ群、正の屈折力の第５レンズ群からなり、前記フォーカスレンズ群は前記第３レンズ群であり、前記最終レンズ群は前記第５レンズ群であることを特徴とする請求項１乃至７のいずれか１項に記載のズームレンズ。
【請求項１１】
前記第１レンズ群は、物体側から像側へ順に、負の屈折力の第１レンズと、負の屈折力のプラスチック非球面レンズを有し、プラスチック非球面レンズの焦点距離をｆａｓｐｈとするとき、
−９．０＜ｆａｓｐｈ／ｆｗ＜−５．５
なる条件式を満足することを特徴とする請求項１乃至１０のいずれか１項に記載のズームレンズ。
【請求項１２】
前記第１レンズ群は、物体側から像側へ順に、負の屈折力の第１レンズと、負の屈折力のプラスチック非球面レンズを有し、負の屈折力の第１レンズと負の屈折力のプラスチック非球面レンズの光軸上の距離をｄａｓｐｈ、前記第１レンズの物体側のレンズ面から像面までの光軸上の距離をＴＬとするとき、
０．０００１＜ｄａｓｐｈ／ＴＬ＜０．０１      ・・・（８）
なる条件式を満足することを特徴とする請求項１乃至１１のいずれか１項に記載のズームレンズ。
【請求項１３】
請求項１乃至１２のいずれか１項に記載のズームレンズを有することを特徴とする撮像装置。
【発明の詳細な説明】
【技術分野】
【０００１】
本発明は、ズームレンズに関し、例えばビデオカメラ、デジタルカメラ、ＴＶカメラ、監視用カメラ、銀塩フィルム用カメラ等の撮像装置の撮像光学系として好適なものである。
【背景技術】
【０００２】
近年、撮像装置に用いられる撮像光学系には、より広範囲な撮影条件に対応するために、広画角で、全ズーム範囲にわたり高い光学性能を有した小型のズームレンズであることが望まれている。全系が小型で広画角化が容易なズームレンズとして、物体側に負の屈折力のレンズ群が位置するネガティブリード型のズームレンズが知られている。ネガティブリード型の広画角のズームレンズとして、物体側から像側へ順に、負、正、負、正の屈折力のレンズ群からなり、隣り合うレンズ群の間隔を変化させてズーミングを行う４群ズームレンズが知られている。
【０００３】
この４群ズームレンズでは、望遠端のズーム位置で、第１レンズ群と第２レンズ群が全体として正の屈折力のレンズグループを構成し、光学系全体として所謂テレフォトタイプにすることができ、望遠端の焦点距離を長くしやすいといった特徴がある。この４群ズームレンズにおいて、フォーカスレンズ群の小型、軽量化を実現するため、フォーカスレンズ群を最も物体側のレンズ群以外に配置した、インナーフォーカス方式を用いた４群ズームレンズが知られている（特許文献１乃至３）。
【０００４】
この他物体側から像側へ順に、負、正、正、負、正の屈折力の第１乃至第５レンズ群よりなり、各レンズ群を移動させてズーミングを行う５群ズームレンズが知られている（特許文献４）。
【０００５】
これらのネガティブリード型のズームレンズにおいては種々なフォーカシング方式を用いられている。特許文献１では第１レンズ群を物体側から像側へ順に、負の屈折力の第１ａレンズ群と負の屈折力の第１ｂレンズ群に分割し、像側の第１ｂレンズ群でフォーカシングを行っている。特許文献２では第４レンズ群でフォーカシングを行っている。特許文献３では第３レンズ群でフォーカシングを行っている。特許文献４では第２レンズ群でフォーカシングを行っている。
【先行技術文献】
【特許文献】
【０００６】
【特許文献１】特開２００６−５８５８４号公報
【特許文献２】特開２００８−１９７１７６号公報
【特許文献３】特開２００１−３４３５８４号公報
【特許文献４】特開平０７−３０６３６２号公報
【発明の概要】
【発明が解決しようとする課題】
【０００７】
負の屈折力のレンズ群が先行するネガティブリード型のズームレンズは、広画角化が比較的容易であり、又長いバックフォーカスが容易に得られるという特徴がある。しかしながらネガティブリード型のズームレンズは開口絞りに対し、レンズ構成が非対称となるため、諸収差の補正が難しく、例えばフォーカシングの際の収差変動が多く高い光学性能を得ることが大変難しい。
【０００８】
特に高速なフォーカシングを行うため、第１レンズ群よりも像側の小型、軽量のレンズ群でフォーカシングを行うインナーフォーカス式ではフォーカシングの際の収差変動が増大する傾向がある。前述した４群ズームレンズや５群ズームレンズにおいて広画角化を図りつつレンズ系全体の小型化そして小型軽量のレンズ群で高速なフォーカシングを行うには、各レンズ群の屈折力（パワー）、レンズ構成等を適切に設定することが重要になってくる。
【０００９】
例えばフォーカスレンズ群や最終レンズ群の屈折力等を適切に設定しないと、全系の小型化を図りつつ、広画角で全ズーム範囲にわたり高い光学性能を有し、高速なフォーカシングを行うのが困難になってくる。この他フォーカシングに際して撮影倍率の変化が大きいとフォーカシングに際して撮影範囲内に写り込む範囲が変わり好ましくない。特に動画撮影時には、フォーカシングに際して被写体に合焦する過程で背景に写っている物が写ったり消えたりし、その変化が容易に観察できるため好ましくない。
【００１０】
さらに、特に広画角のズームレンズでは一般的に望遠レンズと比べて被写界深度が深く被写体がぼけにくいためこの変化は目立ちやすく好ましくない。このためフォーカシングに際して撮影倍率の変化が小さいことが重要になってくる。
【００１１】
本発明は、フォーカシングに際しての撮影倍率の変化が少なく、高速なフォーカシングが容易な広画角のズームレンズの提供を目的とする。
【課題を解決するための手段】
【００１２】
本発明のズームレンズは、
物体側から像側へ順に、負の屈折力の第１レンズ群、正の屈折力の第２レンズ群、１以上のレンズ群を有する中間レンズ群、正の屈折力の最終レンズ群より構成され、前記中間レンズ群は無限遠から近距離のフォーカシングに際して像側へ移動する負の屈折力のフォーカスレンズ群を有し、前記フォーカスレンズ群の物体側に開口絞りを有し、ズーミングとフォーカシングの少なくとも一方において隣り合うレンズ群の間隔が変化するズームレンズであって、前記最終レンズ群の焦点距離をｆｉｍｇ、前記フォーカスレンズ群の焦点距離をｆｆ、広角端における全系の焦点距離をｆｗとするとき、
３．５  ＜  ｆｉｍｇ／ｆｗ  ＜  １０．０
−５．０  ＜  ｆｆ／ｆｗ  ＜  −１．０
なる条件式を満足することを特徴としている。
【発明の効果】
【００１３】
本発明によれば、フォーカシングに際しての撮影倍率の変化が少なく、高速なフォーカシングが容易な広画角のズームレンズが得られる。
【図面の簡単な説明】
【００１４】
【図１】実施例１のズームレンズの広角端におけるレンズ断面図
【図２】（Ａ），（Ｂ）  実施例１のズームレンズの広角端と望遠端における縦収差図
【図３】実施例２のズームレンズの広角端におけるレンズ断面図
【図４】（Ａ），（Ｂ）  実施例２のズームレンズの広角端と望遠端における縦収差図
【図５】実施例３のズームレンズの広角端におけるレンズ断面図
【図６】（Ａ），（Ｂ）  実施例３のズームレンズの広角端と望遠端における縦収差図
【図７】実施例４のズームレンズの広角端におけるレンズ断面図
【図８】（Ａ），（Ｂ）  実施例４のズームレンズの広角端と望遠端における縦収差図
【図９】本発明の撮像装置の要部概略図
【発明を実施するための形態】
【００１５】
以下に、本発明の好ましい実施の形態を、添付の図面に基づいて詳細に説明する。本発明のズームレンズは、物体側から像側へ順に、負の屈折力の第１レンズ群、正の屈折力の第２レンズ群、１以上のレンズ群を有する中間レンズ群、正の屈折力の最終レンズ群より構成されている。
【００１６】
中間レンズ群は無限遠から近距離のフォーカシングに際して像側へ移動する負の屈折力のフォーカスレンズ群を有する。ズーミングとフォーカシングの少なくとも一方において隣り合うレンズ群の間隔が変化する。フォーカスレンズ群の物体側に開口絞りを有する。フォーカスレンズ群は１つの負レンズからなっている。最終レンズ群は少なくとも１以上の非球面を有する。
【００１７】
図１，図３，図５，図７は各々本発明の実施例１乃至実施例４の広角端におけるレンズ断面図である。図２，図４，図６，図８，は、各々本発明の実施例１乃至実施例４の縦収差図である。収差図において（Ａ）、（Ｂ）は各々無限遠にフォーカスしているときの広角端（短焦点距離端）と望遠端（長焦点距離端）における縦収差図である。
【００１８】
図９は、本発明のズームレンズを備えるカメラ（撮像装置）の要部概略図である。各実施例のズームレンズはビデオカメラ、デジタルカメラ、そして銀塩フィルムカメラなどの撮像装置に用いられる撮影レンズ系である。
【００１９】
レンズ断面図において、左方が物体側（前方）で、右方が像側（後方）である。また、レンズ断面図において、ＯＬはズームレンズである。またｉを物体側からのレンズ群の順番とすると、Ｌｉは第ｉレンズ群を示す。Ｌｆはフォーカスレンズ群、Ｌｉｍｇは最も像側に位置する最終レンズ群を示す。ＳＰは開口絞りである。ＬＭは１以上のレンズ群を有する中間レンズ群である。
【００２０】
ＩＰは像面である。像面ＩＰは、デジタルカメラやビデオカメラ、監視カメラの撮影光学系としてズームレンズを使用する際には、ＣＣＤセンサやＣＭＯＳセンサなどの撮像素子（光電変換素子）の撮像面に相当する。また、銀塩フィルムカメラの撮影光学系としてズームレンズを使用する際には、フィルム面に相当する。ＯＡは光軸である。尚、以下の各実施例において広角端と望遠端は変倍用レンズ群が機構上、光軸上移動可能な範囲の両端に位置したときのズーム位置をいう。レンズ断面図において、矢印は広角端から望遠端へのズーミングに際しての各レンズ群の移動軌跡を示している。
【００２１】
ｆｏｃｕｓに関する矢印は無限遠から近距離へのフォーカシングに際してのレンズ群の移動方向を示す。球面収差図において、実線はｄ線（５８７．６ｎｍ）、破線はｇ線（４３５．８ｎｍ）を表している。また、非点収差を示す図において、実線のＳはｄ線のサジタル方向、破線のＭはｄ線のメリディオナル方向を表している。また、歪曲を示す図は、ｄ線における歪曲を表している。ＦｎｏはＦナンバー、ωは撮影画角の半画角（度）である。
【００２２】
各実施例のズームレンズＯＬは物体側から像側へ順に、負の屈折力の第１レンズ群Ｌ１、正の屈折力の第２レンズ群Ｌ２、１以上のレンズ群を含む中間レンズ群ＬＭ、正の屈折力の最終レンズ群Ｌｉｍｇより構成されている。中間レンズ群ＬＭは無限遠から近距離のフォーカスに際して像側へ移動する負の屈折力のフォーカスレンズ群Ｌｆを有する。フォーカスレンズ群Ｌｆの物体側に開口絞りＳＰを有する。ズーミングとフォーカシングの少なくとも一方において隣り合うレンズ群の間隔が変化する。
【００２３】
ここでレンズ群とはズーミングとフォーカシングの少なくとも一方において変化する光軸に沿った間隔によって分けられる部分系をいう。
【００２４】
本発明のズームレンズはフォーカスレンズ群Ｌｆを光線の通過高さの低い最終レンズ群Ｌｉｍｇ付近に配置することで、フォーカスレンズ群Ｌｆの小型化を図り、高速なフォーカシングを容易にしている。さらに、フォーカス駆動量が少なくなること、適切な屈折力配置をとることと合わせてフォーカシングに伴う像倍率（撮影倍率）の変化も抑えている。最終レンズ群Ｌｉｍｇの焦点距離をｆｉｍｇ、フォーカスレンズ群Ｌｆの焦点距離をｆｆ、広角端における全系の焦点距離をｆｗとする。このとき、
３．５  ＜  ｆｉｍｇ／ｆｗ  ＜  １０．０   ・・・（１）
−５．０  ＜  ｆｆ／ｆｗ  ＜  −１．０      ・・・（２）
なる条件式を満足している。
【００２５】
次に前述の条件式（１）、（２）の技術的意味について説明する。条件式（１）は最も像側に配置された最終レンズ群Ｌｉｍｇの焦点距離を広角端における全系の焦点距離で割って規格化したものである。条件式（１）の下限を下回ると、最終レンズ群Ｌｉｍｇの焦点距離が短くなり、即ち正の屈折力が強くなる。そうすると、ズームレンズ全体として所定の長さのバックフォーカスの確保は容易になるが、その分、物体側の負の屈折力のレンズ群の屈折力を強める必要がある。
【００２６】
そうするとレトロフォーカス型の光学配置の傾向が強くなり、球面収差、コマ収差、像面湾曲、歪曲等を始めとする諸収差が増大し、特に像面湾曲が増大し、この補正が困難となる。またバックフォーカスが伸びるとその分、ズームレンズのレンズ全長が増大して好ましくない。
【００２７】
逆に条件式（１）の上限を上回ると最終レンズ群Ｌｉｍｇの焦点距離が長くなり、即ち正の屈折力が弱まる。そうすると、バックフォーカスが短くなりすぎて、像側に撮像素子やフィルター等を配置するのが困難になる。また、バックフォーカスが短くなると像面への光線入射角が大きくなる。像面への光線入射角が大きいと、像面に設ける各受光素子の直前に配置されたマイクロレンズアレイの影響を受け、画面周辺部に到達すべき光束が受光素子上に達することが少なくなり、シェーディングが多く発生してくる。
【００２８】
条件式（２）はフォーカスレンズ群Ｌｆの焦点距離ｆｆを広角端における全系の焦点距離で割って規格化したものである。条件式（２）の下限を下回ると、フォーカスレンズ群Ｌｆの焦点距離の絶対値が大きくなり、負の屈折力が弱まる。そうすると、フォーカスレンズ群Ｌｆのフォーカス敏感度が下がり、フォーカシングに際しての移動量が増え、高速なフォーカシングが困難になる。またフォーカスレンズ群Ｌｆの移動量に相当するスペースをズームレンズ中に確保する必要があり全系が大型化してくる。
【００２９】
逆に条件式（２）の上限を上回った場合はフォーカスレンズ群Ｌｆの焦点距離の絶対値が小さくなり、負の屈折力が強くなりすぎる。そうすると、フォーカシングに伴う諸収差の変動が増大し、諸収差の補正が困難となる。
【００３０】
各実施例では条件式（１），（２）を満足することにより、全系を小型に保ちつつ諸収差を良好に補正している。更にバックフォーカスを十分確保しつつ、フォーカスレンズ群の駆動量（移動量）を少なくして、フォーカシングに際しての収差変動を軽減している。更に好ましくは条件式（１），（２）の数値範囲を次の如く設定するのが良い。
４．０  ＜  ｆｉｍｇ／ｆｗ  ＜  ９．５      ・・・（１ａ）
−４．５  ＜  ｆｆ／ｆｗ  ＜  −２．５       ・・・（２ａ）
【００３１】
本発明のズームレンズにおいて更に好ましくは次の条件式のうち１以上を満足するのが良い。広角端におけるフォーカスレンズ群Ｌｆの横倍率をβｆ、広角端におけるフォーカスレンズ群Ｌｆから最終レンズ群Ｌｉｍｇまでの部分系の横倍率をβｆｉｍｇとする。広角端におけるバックフォーカスをＢＦＷ、広角端から望遠端へのズーミングにおける最終レンズ群Ｌｉｍｇの移動量をｍｉｍｇとする。
【００３２】
ここで広角端から望遠端へのズーミングに際しての移動量とは、広角端におけるレンズ群の光軸上の位置と望遠端におけるレンズ群の光軸上の位置の差を言う。移動量の符号はレンズ群が広角端に比べて望遠端において像側に位置するときを正、物体側に位置するときを負とする。このとき、次の条件式のうち１以上を満足するのが良い。
１．２  ＜  ｜ｆｉｍｇ／ｆｆ｜  ＜  ３．５               ・・・（３）
１．３＜  ｜（１−βｆ２）×βｆｉｍｇ２  ｜  ＜  ４．５   ・・・（４）
２．０  ＜  ＢＦｗ／ｆｗ＜  ４．５                     ・・・（５）
０．５＜ｍｉｍｇ／ｆｗ＜３．０                           ・・・（６）
【００３３】
次に前述の各条件式の技術的意味について説明する。
【００３４】
条件式（３）は最も像側に配置された最終レンズ群Ｌｉｍｇの焦点距離とフォーカスレンズ群Ｌｆの焦点距離の比に関するものである。条件式（３）の下限を下回って最終レンズ群Ｌｉｍｇの焦点距離が相対的にフォーカスレンズ群Ｌｆの焦点距離の絶対値よりも小さくなると最終レンズ群Ｌｉｍｇの正の屈折力が強くなる。そうするとズームレンズ全体としてレトロフォーカス型の傾向が強くなり、諸収差の発生が多くなり、特に像面湾曲が増大し、この補正が困難となる。
【００３５】
あるいは、フォーカスレンズ群Ｌｆの焦点距離の絶対値が大きくなり、フォーカスレンズ群Ｌｉの負の屈折力が弱まり、フォーカシングに際しての駆動量が大きくなってくるので良くない。逆に条件式（３）の上限を上回って、最終レンズ群Ｌｉｍｇの焦点距離が大きくなり、正の屈折力が弱くなると、所定の長さのバックフォーカスの確保が困難となる。あるいは、フォーカスレンズ群Ｌｆの焦点距離の絶対値が小さくなり、負の屈折力が強まると、フォーカシングに際して収差変動が大きくなってくる。
【００３６】
条件式（４）はフォーカス敏感度に関する式である。フォーカス敏感度はフォーカスレンズ群Ｌｆが光軸方向に単位量移動したときのピント移動量の比である。条件式（４）の下限を下回ってフォーカス敏感度が小さくなるとフォーカシングに際してフォーカスレンズ群Ｌｆの移動量が大きくなり、高速なフォーカシングが困難となる。逆に条件式（４）の上限を上回って、フォーカス敏感度が大きくなりすぎるとフォーカシングに際してフォーカスレンズ群Ｌｆの移動量が小さくなり、フォーカシングに際してフォーカスレンズ群Ｌｆの駆動制御が困難となる。
【００３７】
条件式（５）は広角端におけるバックフォーカスＢＦｗを広角端における全系の焦点距離で割って規格化したものである。条件式（５）の下限を下回るとバックフォーカスが短くなりすぎて、像側に撮像素子やフィルター等を配置するのが困難になる。また、像面への光線入射角が大きくなり、画面周辺部に到達すべき光束が受光素子上に達することが少なくなり、シェーディングが多く発生してくる。逆に条件式（５）の上限を上回ると、バックフォーカスが長くなり、その分、ズームレンズ全体が大型化してしまう。
【００３８】
条件式（６）は広角端から望遠端へのズーミングにおける最終レンズ群Ｌｉｍｇの移動量ｍｉｍｇを広角端における全系の焦点距離で割って規格化したものである。条件式（６）の下限を下回ると広角端から望遠端へのズーミングにおける最終レンズ群Ｌｉｍｇの移動量が小さくなり、高ズーム比化が困難となる。逆に条件式（６）の上限を上回ると、広角端から望遠端へのズーミングに際しての最雌雄レンズ群Ｌｉｍｇの移動量が大きくなりすぎて、ズームレンズが大型化してしまう。更に好ましくは条件式（３）乃至（６）の数値範囲を次の如く設定するのが良い。
１．３＜  ｜ｆｉｍｇ／ｆｆ｜  ＜３．０                   ・・・（３ａ）
１．５＜  ｜（１−βｆ２）×βｆｉｍｇ２  ｜  ＜  ４．０   ・・・（４ａ）
２．３＜ＢＦｗ／ｆｗ＜４．０                           ・・・（５ａ）
０．７＜ｍｉｍｇ／ｆｗ＜２．５                           ・・・（６ａ）
【００３９】
また、各実施例において、フォーカスレンズ群Ｌｆは１枚のレンズより構成するのが良い。高速でフォーカシングを行うにはフォーカスレンズ群Ｌｆの重量が極力軽いことが必要である。そのためにはフォーカスレンズ群Ｌｆは１枚のレンズからなることが好ましい。
【００４０】
また、各実施例において、負の屈折力の第１レンズ群Ｌ１は、物体側から像側へ順に、負の屈折力の第１レンズと、負の屈折力のプラスチック非球面レンズを有し、次の条件式のうち１以上を満足するのが良い。ただし、プラスチック非球面レンズの焦点距離をｆａｓｐｈ、負の屈折力の第１レンズと負の屈折力のプラスチック非球面レンズの光軸上の距離をｄａｓｐｈ、第１面から像面までの光軸上の距離をＴＬとする。
−９．０＜ｆａｓｐｈ／ｆｗ＜−５．５           ・・・（７）
０．０００１＜ｄａｓｐｈ／ＴＬ＜０．０１      ・・・（８）
【００４１】
条件式（７）はプラスチック非球面レンズの焦点距離に関するものである。条件式（７）の下限を下回ってプラスチック非球面レンズの焦点距離の絶対値が大きくなると、プラスチック非球面レンズの屈折力が弱くなり、歪曲、像面湾曲の補正が困難となる。条件式（７）の上限を上回ってプラスチック非球面レンズの焦点距離の絶対値が小さくなると、プラスチック非球面レンズの屈折力が強くなり、温度が変化した際の性能変化が大きくなり、好ましくない。
【００４２】
条件式（８）は負の屈折力の第１レンズと負の屈折力のプラスチック非球面レンズの光軸上の距離に関するものである。条件式（８）の下限を下回って負の屈折力の第１レンズと負の屈折力のプラスチック非球面レンズの光軸上の距離が小さくなるとレンズが干渉しやすくなり、キズ等が発生しやすくなるため、好ましくない。条件式（８）の上限を上回って負の屈折力の第１レンズと負の屈折力のプラスチック非球面レンズの光軸上の距離が大きくなるとプラスチック非球面レンズへの軸外主光線の入射高が低くなり、非球面効果が小さくなるため、歪曲、像面湾曲の補正が困難となる。
【００４３】
更に好ましくは条件式（７）乃至（８）の数値範囲を次の如く設定するのが良い。
−７．５＜ｆａｓｐｈ／ｆｗ＜−６．０             ・・・（７ａ）
０．０００５＜ｄａｓｐｈ／ＴＬ＜０．００５      ・・・（８ａ）
【００４４】
また、各実施例において、最終レンズ群Ｌｉｍｇは１以上の非球面を有するのが良い。最終レンズ群Ｌｉｍｇに非球面を配置することでレトロフォーカス型の光学配置で発生し易い諸収差、特に像面湾曲を補正することが容易となる。次に各実施例のズームレンズのレンズ構成について説明する。
【００４５】
［実施例１］
以下、図１を参照して、本発明の実施例１のズームレンズＯＬのレンズ構成について説明する。実施例１のズームレンズＯＬは物体側から像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４より構成されている。ズーミングに際して各レンズ群が矢印に示す如く互いに異なった軌跡で移動する。広角端から望遠端へのズーミングに際して第１レンズ群Ｌ１は像側に凸状の軌跡で移動する。第２レンズ群Ｌ２，第３レンズ群Ｌ３，第４レンズ群Ｌ４は物体側へ移動する。
【００４６】
実施例１はズーム比１．７０、撮影画角（２ω）が１０５．８４°〜７５．９６°の広画角のズームレンズである。実施例１においては第４レンズ群Ｌ４が最終レンズ群（Ｌｉｍｇ）である。第３レンズ群Ｌ３は無限遠から近距離へのフォーカシングに際して光軸に沿って像側へ移動するフォーカスレンズ群（Ｌｆ）である。
【００４７】
本実施例のズームレンズは、図２からわかるように球面収差、コマ収差、像面湾曲、歪曲を始めとする諸収差が良好に補正されている。さらに、第３レンズ群Ｌ３の光軸方向の位置と適切な屈折力配置によって、フォーカシングに伴う像倍率の変化も抑えている。その結果、フォーカシングに伴う像倍率の変化が少なく、第３レンズ群Ｌ３が小型軽量であるため高速なフォーカシングを容易にしている。
【００４８】
［実施例２］
以下、図３を参照して、本発明の実施例２のズームレンズＯＬのレンズ構成について説明する。実施例２のズームレンズＯＬの各レンズ群の屈折力配置は実施例１と同じである。広角端から望遠端へのズーミングに際して第１レンズ群Ｌ１は像側に凸状の軌跡で移動する。第２レンズ群Ｌ２，第３レンズ群Ｌ３，第４レンズ群Ｌ４は同じ軌跡で物体側へ移動する。実施例２はズーム比１．５４、撮影画角１００．６８°〜７５．９６°の広画角のズームレンズである。
【００４９】
本実施例のズームレンズは図４からわかるように球面収差、コマ収差、像面湾曲、歪曲を始めとする諸収差が良好に補正されている。さらに、第３レンズ群Ｌ３の光軸方向の位置と適切な屈折力配置によって、フォーカシングに伴う像倍率の変化も抑えている。その結果、フォーカシングに伴う像倍率の変化が少なく、第３レンズ群Ｌ３が小型軽量であるため高速なフォーカシングを容易にしている。
【００５０】
［実施例３］
以下、図５を参照して、本発明の実施例３のズームレンズＯＬのレンズ構成について説明する。実施例３のズームレンズＯＬは物体側から像側へ順に、負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５より構成されている。広角端から望遠端へのズーミングに際して第１レンズ群Ｌ１は像側へ凸状の軌跡で移動する。第２レンズ群Ｌ２乃至第５レンズ群Ｌ５は互いに異なった軌跡で物体側へ移動する。
【００５１】
後述する数値実施例３の各種データにおいて、第２レンズ群Ｌ２と第３レンズ群Ｌ３の間隔ｄ１５は広角，中間，望遠において同じ値３．２１に表示されている。これは小数点２桁で四捨五入したためであり、実際の値は広角３．２０８３，中間３．２０８２，望遠３．２０８１である。第２レンズ群Ｌ２と第３レンズ群Ｌ３の間隔ｄ１５はズーミングに際して、僅かであるが変化している。
【００５２】
実施例３はズーム比２．２４、撮影画角１１０．２４°〜６５．２°の広画角のズームレンズである。実施例３においては第５レンズ群Ｌ５が最終レンズ群（Ｌｉｍｇ）である。第４レンズ群Ｌ４は無限遠から近距離へのフォーカシングに際して光軸に沿って像側へ移動するフォーカスレンズ群（Ｌｆ）である。
【００５３】
本実施例のズームレンズは図６からわかるように球面収差、コマ収差、像面湾曲、歪曲を始めとする諸収差が良好に補正されている。さらに、第４レンズ群Ｌ４の光軸方向の位置と適切な屈折力配置によって、フォーカシングに伴う像倍率の変化も抑えている。その結果、フォーカシングに伴う像倍率の変化が少なく、第４レンズ群Ｌ４が小型軽量であるため高速なフォーカシングを容易にしている。
【００５４】
［実施例４］
以下、図７を参照して、本発明の実施例１のズームレンズＯＬのレンズ構成について説明する。実施例４のズームレンズＯＬは物体側から像側へ順に、負の屈折力の第１レンズ群Ｌ１、正の屈折力の第２レンズ群Ｌ２、負の屈折力の第３レンズ群Ｌ３、負の屈折力の第４レンズ群Ｌ４、正の屈折力の第５レンズ群Ｌ５より構成されている。広角端から望遠端へのズーミングに際して第１レンズ群Ｌ１は像側に凸状の軌跡で移動する。第２レンズ群Ｌ２乃至第５レンズ群Ｌ５は互いに異なった軌跡で物体側へ移動する。実施例４はズーム比１．４４、撮影画角９４．２２°〜７３．５２°の広画角のズームレンズである。
【００５５】
実施例４においては第５レンズ群Ｌ５が最終レンズ群（Ｌｉｍｇ）である。第３レンズ群Ｌ３は無限遠から近距離へのフォーカシングに際して光軸に沿って像側へ移動するフォーカスレンズ群（Ｌｆ）である。
【００５６】
本実施例のズームレンズは、図８からわかるように球面収差、コマ収差、像面湾曲、歪曲を始めとする諸収差が良好に補正されている。さらに、第３レンズ群Ｌ３の光軸方向の位置と適切な屈折力配置によって、フォーカシングに伴う像倍率の変化も抑えている。その結果、フォーカシングに伴う像倍率の変化が少なく、第３レンズ群Ｌ３が小型軽量であるため高速なフォーカシングを容易にしている。
【００５７】
図９は一眼レフカメラの要部概略図である。図９において、１０は実施例１〜４のズームレンズ１を有する撮影光学系である。撮影光学系１は保持部材である鏡筒２に保持されている。２０はカメラ本体である。カメラ本体２０はクイックリターンミラー３、焦点板４、ペンタダハプリズム５、接眼レンズ６等によって構成されている。クイックリターンミラー３は、撮影光学系１０からの光束を上方に反射する。焦点板４は撮影光学系１０の像形成位置に配置されている。ペンタダハプリズム５は焦点板４に形成された逆像を正立像に変換する。観察者は、その正立像を接眼レンズ６を介して観察する。
【００５８】
７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮影光学系１０によって像側形成される。
【００５９】
このように本発明のズームレンズを一眼レフカメラ交換レンズ等の撮像装置に適用することにより、高い光学性能を有する撮像装置を実現している。この他本発明のズームレンズはクイックリターンミラーのないミラーレンズの一眼レフカメラにも同様に適用することができる。尚、本発明のズームレンズは、デジタルカメラ・ビデオカメラ・銀塩フィルム用カメラ等の他に望遠鏡、双眼鏡、複写機、プロジェクター等の光学機器にも適用できる。以上、本発明の好ましい実施形態について説明したが、本発明はこれらの実施形態に限定されず、その要旨の範囲内で種々の変形及び変更が可能である。
【００６０】
以下、数値実施例１〜４のズームレンズの具体的な数値データを示す。ｉは物体から数えた順序を示す。面番号ｉは物体側から順に数えている。ｒｉは曲率半径（ｍｍ）、ｄｉは第ｉ番目と第ｉ＋１番目の面間隔（ｍｍ）である。ｎｄｉとνｄｉはそれぞれｄ線に対する第ｉ面と第（ｉ＋１）面との間の媒質の屈折率、アッベ数を表す。またＢＦはバックフォーカスである。レンズ全長は第１レンズ面から像面までの距離を表す。
【００６１】
また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ｂ、Ｃ、Ｄ、Ｅ、Ｆ・・・を各次数の非球面係数とするとき、
ｘ＝（ｈ２／Ｒ）／［１＋｛１−（１＋ｋ）（ｈ／Ｒ）２｝１／２＋Ｂ・ｈ４＋Ｃ・ｈ６＋Ｄ・ｈ８＋Ｅ・ｈ１０＋Ｆ・ｈ１２・・・
で表す。なお、各非球面係数における「Ｅ±ＸＸ」は「×１０±ＸＸ」を意味している。前述の各条件式に相当する数値を表１に示す。
【００６２】
（数値実施例１）
単位  ｍｍ
面データ
面番号       r        d      nd         νd       有効径
1         65.393    2.00   1.77250    49.6       41.98
2         19.774    0.21                         31.81
3         19.623    2.20   1.52996    55.8       31.64
4*        12.890   14.82                         29.14
5         26.261    0.90   1.77250    49.6       18.33
6         11.536    5.58                         15.90
7        -18.464    0.80   1.59522    67.7       15.61
8        344.979    0.10                         15.85
9         41.566    3.39   1.72047    34.7       15.99
10        -30.947  (可変)                         15.90
11        -46.472    1.11   1.48749    70.2        8.55
12        -29.312    1.23                          8.73
13         23.761    0.80   1.91082    35.3        8.95
14          9.192    3.37   1.60342    38.0        8.77
15        -53.118    2.19                          8.89
16(絞り)    ∞       2.96                          8.88
17       -115.956    0.80   1.83481    42.7        8.96
18          9.582    3.45   1.64769    33.8        9.10
19       -187.956    0.15                          9.76
20         16.818    4.37   1.49700    81.5       10.68
21        -14.618  (可変)                         11.33
22        -51.594    0.70   1.91082    35.3       11.34
23         59.318  (可変)                         11.48
24        192.633    0.80   1.91082    35.3       13.31
25         14.245    5.88   1.58313    59.4       13.73
26*       -19.863  (可変)                         15.00
像面        ∞
非球面データ
第4面
K  =-4.75949e-001  B=-3.82851e-005  C=-7.50548e-008  D=-2.94600e-010
E= 1.45343e-012  F=-5.04519e-015
第26面
K  = 0.00000e+000  B= 2.17541e-005  C=-2.27082e-007  D= 1.49496e-008
E=-2.85254e-010  F= 2.16561e-012
各種データ
ズーム比      1.70
広角     中間     望遠
焦点距離      10.30    13.78    17.46
Fナンバー      4.64     5.18     5.80
半画角（度）  52.92    44.69    37.98
像高          13.63    13.63    13.63
レンズ全長   116.58   113.53   114.08
BF            35.35    42.10    48.84
d10           17.35     7.56     1.37
d21            1.20     1.57     2.05
d23            4.85     4.48     4.00
d26           35.35    42.10    48.84
入射瞳位置    16.70    16.08    15.54
射出瞳位置   -29.55   -29.11   -28.54
前側主点位置  25.36    27.19    29.07
後側主点位置  25.05    28.32    31.38
ズームレンズ群データ
群  始面    焦点距離  レンズ構成長  前側主点位置  後側主点位置
1    1     -13.17        30.01         6.53        -20.04
2   11      18.76        20.43        13.34         -4.68
3   22     -30.20         0.70         0.17         -0.20
4   24      76.60         6.68         8.63          5.03
単レンズデータ
レンズ  始面  焦点距離
1       1    -37.41
2       3    -79.94
3       5    -27.36
4       7    -29.42
5       9     25.11
6      11    159.44
7      13    -16.90
8      14     13.26
9      17    -10.57
10      18     14.17
11      20     16.50
12      22    -30.20
13      24    -16.92
14      25     15.19
【００６３】
（数値実施例２）
単位 mm
面データ
面番号       r        d      nd         νd       有効径
1         67.024    2.00   1.51633    64.1       43.22
2         19.596    0.07                         32.10
3         19.534    2.20   1.52996    55.8       32.02
4*        12.851   15.00                         28.71
5         36.072    0.90   1.83481    42.7       17.55
6         10.799    5.36                         14.90
7        -18.784    0.80   1.59522    67.7       14.63
8        -77.361    0.15                         14.89
9         30.490    3.06   1.72047    34.7       15.03
10        -43.008  (可変)                         14.80
11        -46.868    1.05   1.48749    70.2        8.17
12        -28.621    1.55                          8.33
13         22.743    0.80   1.83481    42.7        8.58
14          9.162    3.16   1.54814    45.8        8.42
15        -29.837    2.05                          8.52
16(絞り)    ∞       3.38                          8.34
17        -16.362    0.80   1.91082    35.3        8.13
18         15.294    2.91   1.72151    29.2        8.63
19        -21.362    0.19                          9.80
20         22.594    3.25   1.49700    81.5       11.00
21        -15.930    1.30                         11.50
22         84.915    0.80   1.91082    35.3       11.82
23         29.661    3.57                         11.82
24        146.421    0.90   1.91082    35.3       13.01
25         12.713    6.08   1.58313    59.4       13.41
26*       -21.551  (可変)                         14.80
像面        ∞
非球面データ
第4面
K  =-4.75949e-001  B=-2.14159e-005  C=-6.60610e-008  D=-2.73069e-010
E= 1.03120e-012  F=-4.58549e-015
第26面
K  = 0.00000e+000  B= 6.77849e-006  C=-2.38100e-007  D= 6.64682e-009
E=-1.14977e-010  F= 6.72515e-013
各種データ
ズーム比      1.54
広角     中間     望遠
焦点距離      11.30    15.06    17.46
Fナンバー      4.64     5.28     5.69
半画角（度）  50.34    42.15    37.98
像高          13.63    13.63    13.63
レンズ全長   110.71   108.93   109.83
BF            35.00    42.24    46.86
d10           14.37     5.35     1.62
d26           35.00    42.24    46.86
入射瞳位置    18.33    17.60    17.21
射出瞳位置   -26.53   -26.53   -26.53
前側主点位置  27.55    29.36    30.52
後側主点位置  23.70    27.18    29.41
ズームレンズ群データ
群  始面    焦点距離  レンズ構成長  前側主点位置  後側主点位置
1    1     -14.56        29.54         7.56        -19.70
2   11      21.10        19.15        13.10         -4.60
3   22     -50.40         0.80         0.65          0.23
4   24     105.00         6.98        11.11          7.55
単レンズデータ
レンズ  始面  焦点距離
1       1    -54.42
2       3    -80.01
3       5    -18.77
4       7    -41.89
5       9     25.20
6      11    148.02
7      13    -18.89
8      14     13.17
9      17     -8.58
10      18     12.78
11      20     19.34
12      22    -50.40
13      24    -15.33
14      25     14.67
【００６４】
（数値実施例３）
単位 mm
面データ
面番号       r        d      nd         νd       有効径
1*        62.304    1.70   1.80400    46.6       45.07
2         19.433    0.20                         33.92
3         19.433    2.30   1.52996    55.8       33.80
4*        12.025   11.34                         28.20
5         25.935    0.90   1.77250    49.6       23.19
6         12.880    8.02                         19.82
7        -19.426    0.80   1.59522    67.7       19.44
8        -85.193    0.15                         19.86
9         56.600    3.28   1.72047    34.7       20.01
10        -49.434  (可変)                         19.87
11       -211.721    1.73   1.48749    70.2        9.88
12        -29.805    1.07                         10.15
13         22.774    0.70   1.91082    35.3       10.44
14          9.661    3.64   1.58144    40.8       10.20
15        -58.601  (可変)                         10.34
16(絞り)    ∞       3.19                         10.38
17        -27.572    0.70   1.83481    42.7       10.40
18         11.105    3.57   1.71736    29.5       10.87
19        -31.515    0.15                         11.32
20         21.783    3.76   1.49700    81.5       11.63
21        -17.267  (可変)                         11.55
22        -45.767    0.60   1.91082    35.3       10.46
23         49.785  (可変)                         10.32
24        105.075    0.70   1.91082    35.3       10.31
25         12.506    5.05   1.49710    81.6       10.67
26*       -14.235  (可変)                         12.13
像面        ∞
非球面データ
第1面
K  =-3.81397e+000  B= 1.78033e-005  C=-6.05780e-009  D=-5.40009e-011
E  = 8.31988e-014  F=-1.64860e-017
第4面
K =-3.72017e-001  B=-1.05015e-005  C= 3.69314e-008  D= 1.44990e-009
E =-1.71363e-011  F= 2.40573e-014
第26面
K = 0.00000e+000  B=-1.23310e-005  C=-4.96373e-007  D= 1.19352e-008
E =-5.80436e-010  F= 5.32465e-012
各種データ
ズーム比      2.24
広角     中間     望遠
焦点距離       9.50    15.20    21.31
Fナンバー      4.40     5.08     5.80
半画角（度）  55.12    41.88    32.60
像高          13.63    13.63    13.63
レンズ全長   123.37   117.73   120.93
BF            37.30    48.94    60.58
d10           26.64     9.54     1.29
d15            3.21     3.21     3.21
d21            0.50     1.07     1.74
d23            2.20     1.43     0.58
d26           37.30    48.94    60.58
入射瞳位置    16.04    15.23    14.60
射出瞳位置   -22.20   -21.22   -20.15
前側主点位置  24.03    27.13    30.29
後側主点位置  27.80    33.74    39.27
ズームレンズ群データ
群  始面    焦点距離  レンズ構成長  前側主点位置  後側主点位置
1    1     -13.24        28.68         5.32        -20.37
2   11      33.64         7.13         2.30         -2.67
3   16      24.97        11.37         9.46          1.91
4   22     -26.10         0.60         0.15         -0.16
5   24      74.82         5.75         8.97          5.89
単レンズデータ
レンズ  始面  焦点距離
1       1    -35.76
2       3    -66.69
3       5    -34.15
4       7    -42.47
5       9     37.11
6      11     70.94
7      13    -18.90
8      14     14.55
9      17     -9.41
10      18     11.86
11      20     20.02
12      22    -26.10
13      24    -15.64
14      25     14.29
【００６５】
（数値実施例４）
単位 mm
面データ
面番号       r        d      nd         νd       有効径
1         41.995    2.00   1.48749    70.2       40.77
2         20.525    0.20                         32.47
3         20.525    2.20   1.52996    55.8       32.32
4*        13.319   15.44                         27.96
5       -431.645    0.90   1.80400    46.6       17.10
6         12.788    4.23                         14.82
7        -27.672    0.80   1.43875    94.9       14.69
8        -50.804    0.15                         14.76
9         25.460    3.01   1.80000    29.8       14.69
10      -7092.378  (可変)                         14.14
11        -58.261    1.43   1.48749    70.2        8.75
12        -29.878    1.44                          8.48
13         25.253    0.80   1.91082    35.3        8.27
14         10.706    3.96   1.59551    39.2        8.14
15        -34.577    2.22                          8.26
16(絞り)    ∞       2.13                          8.07
17        -24.628    0.80   1.83481    42.7        7.93
18         15.303    3.44   1.65844    50.9        8.75
19        -25.557    0.19                         10.11
20         27.141    4.62   1.49700    81.5       11.03
21        -17.792  (可変)                         11.97
22        -38.831    0.60   1.65160    58.5       12.15
23         79.759  (可変)                         12.41
24       -121.211    1.20   1.52996    55.8       14.62
25*       378.042  (可変)                         15.03
26        113.565    0.80   1.91082    35.3       15.38
27         23.771    4.30   1.55332    71.7       15.58
28*       -22.352  (可変)                         16.16
像面        ∞
非球面データ
第4面
K =-4.75949e-001  B=-6.29028e-006  C=-3.11309e-008  D=-1.05016e-010 
E = 5.20437e-014  F=-3.03565e-015
第25面
K =-4.75949e-001  B=-3.82214e-005  C=-5.08157e-007  D=-7.83186e-009 
E = 1.22990e-010  F=-7.47246e-013
第28面
K = 0.00000e+000  B= 5.68874e-005  C= 1.23900e-007  D= 1.40620e-008 
E =-1.42260e-010  F= 7.39419e-013
各種データ
ズーム比      1.44 
広角     中間     望遠
焦点距離      12.66    16.37    18.24
Fナンバー      4.64     5.16     5.44
半画角（度）  47.11    39.79    36.76
像高          13.63    13.63    13.63
レンズ全長   107.45   105.01   105.13
BF            30.88    36.91    40.32
d10           12.55     4.68     1.96
d21            1.00     1.46     1.51
d23            5.56     4.55     3.94
d25            0.60     0.57     0.53
d28           30.88    36.91    40.32
入射瞳位置    20.48    19.67    19.33
射出瞳位置   -29.60   -28.02   -26.82
前側主点位置  30.49    31.92    32.61
後側主点位置  18.22    20.54    22.08
ズームレンズ群データ
群  始面    焦点距離  レンズ構成長  前側主点位置  後側主点位置
1    1     -15.52        28.93         9.55        -16.25
2   11      19.75        21.03        12.87         -5.63
3   22     -40.00         0.60         0.12         -0.24
4   24    -173.04         1.20         0.19         -0.59
5   26      55.00         5.10         4.02          0.88
単レンズデータ
レンズ  始面  焦点距離
1       1    -84.95
2       3    -80.05
3       5    -15.43
4       7   -140.00
5       9     31.72
6      11    123.76
7      13    -20.95
8      14     14.19
9      17    -11.20
10      18     15.04
11      20     22.39
12      22    -40.00
13      24   -173.04
14      26    -33.15
15      27     21.54
【００６６】
【表１】
2014225002.tif 000003
【符号の説明】
【００６７】
ＯＬ  ズームレンズ
Ｌ１  第１レンズ群
Ｌ２  第２レンズ群
Ｌ３  第３レンズ群
Ｌ４  第４レンズ群
Ｌ５  第５レンズ群
Ｌｆ  フォーカスレンズ群
Ｌｉｍｇ  最終レンズ群
ＳＰ  開口絞り
【図１】
2014225002.tif 000004
【図２】
2014225002.tif 000005
【図３】
2014225002.tif 000006
【図４】
2014225002.tif 000007
【図５】
2014225002.tif 000008
【図６】
2014225002.tif 000009
【図７】
2014225002.tif 000010
【図８】
2014225002.tif 000011
【図９】
2014225002.tif 000012